Podtech/llm-jp-corpus-v4-ja_patent huggingface dataset:
(57)【要約】      （修正有）【課題】併設パイプ構造体の横座屈による変形の防止と、内部設備に必要な配管経路としての利用や、現地にて一般消費者が自身で組立作業する場合は足場としても利用できる効果を合わせもつ桁行用連結部材を提供する。【解決手段】併設鋼管の構造を有する軽量鉄骨ハウスの梁組の柱と梁部において、梁間と梁間のあいだを直角方向（桁行）にハシゴまたは板状の連結板ｆで連結し、連結板の両端に、鋼管へ固定締結する金具を係合させたことを特徴とする。【選択図】図１
0003221203.tif 000002
【実用新案登録請求の範囲】
【請求項１】
〔図１〕のように、併設鋼管の構造を有する軽量鉄骨ハウスの梁組の柱と梁部において、梁間と直角方向（以下桁方向と呼ぶ）に連結するための、ハシゴまたは板状の連結板ｆとその両端に鋼管へ固定締結する締結金具を持たせたこと特徴とした桁行用連結部材。
【考案の詳細な説明】
【技術分野】
【０００１】    本考案は、軽量鉄骨ハウスの強度補強に必要な併設鋼管部における、加重時の併設鋼管の横座屈を防ぐ板状部材です。
【背景技術】
【０００２】    従来から、軽量鉄骨（以下パイプと呼ぶ）ハウスや重量鉄骨ハウスの加重時の横座屈防止策は、Ｈ型鋼の場合は、スチフナなどで、又軽量鉄骨は、横座屈方向に圧縮引張を負担する図２のａ例のような部材が存在する。
【考案の概要】
【０００３】  図３は、併設パイプ構造を有する梁構造体どうしをつなぐための、板状ｈ１又はｈ２に梁構造体の鋼管部に締結できる固定部ｇを設けている桁行連結材
【考案の効果】
【０００４】  上述のように、本考案の桁行連結部材は、併設パイプ構造体の横座屈による変形の防止する効果と、内部設備に必要な配管経路としての利用や、現地にて一般消費者が自身で安全に組立作業する場合は足場としても利用できる効果を合わせもたせることができる。
【図面の簡単な説明】
【０００５】
【図１】は本考案で一般な組み立て例の全体斜視図（一部透過斜視図）である。
【図２】は、従来の発想で横座屈を防ぐ方法の例の斜視図である。ａ；座屈防止板，ｂ；壁胴縁，屋根母屋、ｃ；鋼管連結材、ｄ外側鋼管、ｅ；内側鋼管
【図３】は、桁行連結材の構造例の斜視図である。ｇ；鋼管結合部、ｈ１ハシゴ状連結板、ｈ２；板状連結板
【図４】は、梁間構造に於ける、桁行連結材ｆの設置例の概要図です。
【図１】
0003221203.tif 000003
【図２】
0003221203.tif 000004
【図３】
0003221203.tif 000005
【図４】
0003221203.tif 000006
【手続補正書】
【提出日】平成31年2月19日(2019.2.19)
【手続補正１】
【補正対象書類名】実用新案登録請求の範囲
【補正対象項目名】全文
【補正方法】変更
【補正の内容】
【実用新案登録請求の範囲】
【請求項１】
併設鋼管の構造を有する軽量鉄骨ハウスの梁組の柱と梁部において、梁間と梁間のあいだを桁行に連結するための、ハシゴまたは板状の連結板と連結板の両端に、鋼管へ固定締結する金具を係合させたこと特徴とした桁行用連結部材。
(57)【要約】      （修正有）【課題】劇場用座席に設ける収納構造体であって、プログラム等書類を手に持たず観賞に集中できて、書類を入れ観劇を楽しめる構造体を提供する。【解決手段】劇場座席１の背面に取り付けプログラムやパンフレットを収納する構造体２であって、劇場座席１の背に対抗する面が設けられた左右の壁面と底辺とを有し、左右の壁面と底辺とに接続される背面とを有する。【選択図】図１
0003221206.tif 000002
【実用新案登録請求の範囲】
【請求項１】
座席の背に取り付けた書類収納可能な収納構造体
【請求項２】
箱型のボックスで構成される請求項１に記載の収納構造体
【請求項３】
下端がバネを介して座席の背に取り付けられ、上端が前記バネの付勢力に抗して座席の背から離れる方向に移動可能な、いわゆるバインダー構造で構成された請求項１に記載の収納構造体
【考案の詳細な説明】
【技術分野】
【０００１】本考案は、劇場用座席の背に設ける事の出来る書類収納構造体に関するものである。
【背景技術】
【０００２】従来の劇場には会場で配布されるパンフレット等の書類用の収納構造体が無く手で持つしかないため観賞の邪魔になっていた。
【考案の概要】
【考案が解決しようとする課題】
【０００３】劇場等で配布されるプログラムやパンフレットを上演中に手で持たなければならず、落とさないよう注意する等、観賞に集中出来ない。
【課題を解決するための手段】
【０００４】本考案は劇場内の座席の背に収納構造体を設け、プログラム等の書類をその中に収納する事により問題を解決する。
【考案の効果】
【０００５】劇場を利用する観客にとって配布されたパンフレット等書類を収納する構造体が有れば観賞に集中できる。
【図面の簡単な説明】
【０００６】
【図１】本考案の請求項１と２に記載の収納構造体の実施例を示す。
【図２】本考案の請求項１と３に記載の収納構造体の実施例を示す。
【図３】図２の側面図である。
【使用素材】
【０００７】本考案には木製、プラスチック、炭素繊維等が使用出来る。
【設置場所】
【０００８】本考案は新設の劇場に限らず、既設の劇場の座席の背にも設置が可能である。
【考案を実施するための形態】
【０００９】劇場用座席の背にボックス型又はバインダー型の収納構造体を設ける。
【実施例】
【００１０】以下添付図面に従ってー実施例を説明する。図１はボックス型の収納構造体を設けた劇場用座席である。図１の収納部分２は、背幅１ｃｍ〜３ｃｍの書類収納スペースを取り付ける。【００１１】図２はバインダー型収納構造体３を取り付けた劇場用座席である。
図３は図２の側面図である。バインダー型収納構造３の下部の取付部に２箇所以上のバネを付け、上端を手前に引きバネ４の付勢力に抗して開くことにより書類を出し入れする構造である。【００１２】劇場最前列や座席中央通路席の場合は座席数に応じた長さの手すり状のボードを設け座席数分に応じた収納構造体を設ける事で対応出来る。
【符号の説明】
【００１３】１  劇場用座席
２  ボックス型の収納構造体
３  バインダー型の収納構造体
４  バネ
【図１】
0003221206.tif 000003
【図２】
0003221206.tif 000004
【図３】
0003221206.tif 000005
【手続補正書】
【提出日】平成31年2月21日(2019.2.21)
【手続補正１】
【補正対象書類名】実用新案登録請求の範囲
【補正対象項目名】全文
【補正方法】変更
【補正の内容】
【実用新案登録請求の範囲】
【請求項１】
劇場座席の背面に取り付けプログラムやパンフレットを収納する構造体。
【請求項２】
請求項１に記載の構造体であって、劇場座席の背に対抗する面が設けられた左右の壁面と底辺とを有し、前記左右の壁面と前記底辺とに接続される背面とを有する構造体。
【請求項３】
請求項２に記載の構造体であって、前記構造体の下部には２か所以上バネが設けられ、バネの付勢力に抗して前記構造体を開くことでプログラムやパンフレットを出し入れする構造体。
(57)【要約】      （修正有）【課題】センサーやドライブレコーダーであおり運転をされているかを判断し、あおり運転をしている自動車にあおり運転であることを認知させ、あおり運転を止めることや、他の自動車に気付かせることで、事故を未然に防ごうとするシステムを提供する。【解決手段】あおり運転をしてくる自動車１を感知するセンサーと、前記センサーであおり運転をしてくる自動車を感知した際に、あおり運転をされているか否かを判断するドライブレコーダーと、前期ドライブレコーダーであおり運転をされていると判断した際に、警察に通報する通信機とを備え、自動車の車上に設置された通信機能付きランプ３であって、前記ドライブレコーダーであおり運転をされていると判断したことを受信したときに点灯する通信機能付きランプ、とを備えた。【選択図】図１
0003221891.tif 000002
【実用新案登録請求の範囲】
【請求項１】
自動車の車上に通信機能付きランプを設置し、あおり運転をしてくる自動車を自動車に設置したセンサーで感知し、車内のドライブレコーダーで判断し、通信機で警察に通報し、あおり運転をされている自動車の車上のランプを点灯させるシステム
【考案の詳細な説明】
【技術分野】
【０００１】
本考案は、あおり運転をする自動車をセンサーで感知し、ドライブレコーダーで判断し、通信機で警察に通報し、あおり運転をされている自動車の車上のランプを点灯させるシステムに関するものである。
【考案の概要】
【考案が解決しようとする課題】
【０００２】
あおり運転をする自動車が多く、正しく走行している自動車との衝突などの事故につながる問題がある。従って、センサーやドライブレコーダーであおり運転をされているかを判断し、あおり運転をしている自動車にあおり運転であることを認知させ、あおり運転を止めることや、あおり運転をされていることを他の自動車に気付かせることで、事故を未然に防ごうとする必要がある。
【課題を解決するための手段】
【０００３】
本考案は、自動車の車上に通信機能付きランプを設置し、あおり運転をしてくる自動車を自動車に設置したセンサーで感知し、車内のドライブレコーダーで判断し、通信機で警察に通報し、あおり運転をされている自動車の車上のランプを点灯させ、あおり運転をしている自動車だけでなく、他の走行している自動車にも気づかせて走行を止めることができることで、問題点を解決している。
【考案の効果】
【０００４】
上述の様に、本考案の通信機能付きランプ点灯システムは、あおり運転による事故を防ぐことが可能になり、事故による死傷や経済的負担を軽減させることに役立つ。
【図面の簡単な説明】
【０００５】
【図１】本考案の通信機能付きランプ点灯システムで、あおり運転をする自動車が前方からあおる場合の俯瞰図である。
【図２】本考案の通信機能付きランプ点灯システムで、あおり運転をする自動車が後方からあおる場合の俯瞰図である。
【図３】本考案の通信機能付きランプ、センサー、ドライブレコーダーが設置された自動車の側面図である。
【符号の説明】
【０００６】
１    自動車（あおり運転をする）
２    自動車（あおり運転をされている）
３    ランプ
４    センサー
５    ドライブレコーダー（カメラは自動車の前後に設置する）
【図１】
0003221891.tif 000003
【図２】
0003221891.tif 000004
【図３】
0003221891.tif 000005
【手続補正書】
【提出日】平成31年4月18日(2019.4.18)
【手続補正１】
【補正対象書類名】実用新案登録請求の範囲
【補正対象項目名】全文
【補正方法】変更
【補正の内容】
【実用新案登録請求の範囲】
【請求項１】
前記自動車に設置されあおり運転をしてくる自動車を感知するセンサーと、前記センサーであおり運転をしてくる自動車を感知した際に、あおり運転をされているか否かを判断するドライブレコーダーと、前期ドライブレコーダーであおり運転をされていると判断した際に、警察に通報する通信機とを備え、自動車の車上に設置された通信機能付きランプであって、前記ドライブレコーダーであおり運転をされていると判断したことを受信したときに点灯する通信機能付きランプ、とを備えたシステム。
(57)【要約】      （修正有）【課題】高齢者または握力や筋力の弱い人が卓球をする際、より少ない力で握り易く、手首、指を痛めにくい卓球ラケットを提供する。【解決手段】卓球ラケットはグリップ１の斜め上部のブレード本体２に指通し穴３を空けて人差し指または中指を引っ掛けて使用するラケットである。この場合グリップは親指、中指、薬指、小指で握る。【選択図】図１
0003221873.tif 000002
【実用新案登録請求の範囲】
【請求項１】
卓球ラケット本体のブレードに人差し指または中指を通す１個の穴を設けたことを特徴とする卓球ラケット
【考案の詳細な説明】
【技術分野】
【０００１】本考案は卓球ラケット本体のブレードに人差し指または中指を通す１個の穴を設けたことを特徴とする卓球ラケットに関するものである。
【背景技術】
【０００２】  従来の卓球ラケットは人差し指と親指でラケット本体を挟み、残りの指でグリップを握るシェークハンド型が一番多く使われている。
【先行技術文献】
【特許文献】
【０００３】
【特許文献１】特開２００５−５８７０３
【特許文献２】特開２００６−１３０２７９
【特許文献３】登録実用第３１４３９５６号
【考案の概要】
【考案が解決しようとする課題】
【０００４】  通常、シェーク型卓球ラケットを握る際、人差し指と親指でラケット本体を挟み、残りの指でグリップを握らなければならない。その場合、高齢者または握力や筋力の弱い人が卓球ラケットを二本の指で挟み強く握ることは困難である。また、挟む指に無理な負担をかけることで、手首や指を痛めてしまう場合がある。生涯スポーツとしての卓球をより長く競技出来るよう、この問題を少しでも解決出来る事を目的とするのが、この卓球ラケットである。また、今まで使用してきたシェーク型ラケットと違和感なく移行することが可能でなければならない。【０００５】  特許文献１、特許文献２、特許文献３はグリップに多孔を有するラケットや形状が通常の卓球ラケットと大きくかけ離れているため、これら３点のラケットでは次のような問題点がある。【０００６】（１）これら３点のラケットの一番の問題点は、今まで使ってきたラケットと形状が違い過ぎる点である。球に回転を掛け一瞬の判断で打球する卓球競技では、非常に繊細なラケットコントロールが要求される。これら３点のラケットに於いて、特に高齢者がこの繊細なラケットコントロールを操作して、使いこなす事が可能になるためには、かなりの時間を要してしまう。【０００７】（２）デザイン的に今まで使ってきたラケットと形状が違い過ぎるため、使う事を躊躇することが大いに予想される。【０００８】（３）形状が複雑すぎるため、製造コストがかかりすぎる。【０００９】（４）手の大きさ、指の長さによる個人差も容易に解決出来ない。
【課題を解決するための手段】
【００１０】  本考案の卓球ラケットはグリップ（１）の斜め上部のブレード本体（２）に指通し穴（３）を設けた。その穴に人差し指または中指を引っ掛けて使用するラケットである。この場合グリップは親指、中指、薬指、小指で握る。
【考案の効果】
【００１１】  これにより、人差し指と親指でブレードを挟んで握るより少ない力で強く握ることが可能になる。高齢者または握力や筋力の弱い人でも簡単に卓球ラケットをより強く握り、少ない力で打ち返すことが出来ることにより問題点を解決している。【００１２】  指をブレードに空けた指通し穴に通すことにより、卓球ラケットを振った際、手からスッポ抜ける事故も防止出来る卓球ラケットである。【００１３】  従来のシェークハンド型のラケットと同じ形状のため、操作方法は限りなくシンプルで今までのシェーク型ラケットとほとんど変らない。デザイン的にも違和感が無いため、移行することが容易である。【００１４】  製造工程の観点でも従来のシェーク型ラケット本体のブレードに人差し指または中指を通す穴を１個空けただけの限りなくシンプルなものである。【００１５】  個人差による  手の大きさ、指の長さ、左右利き手の違いにも  穴の位置、径の大きさを変えることで握り易さを容易に調整出来る。穴に指を入れる方向に向かって斜めに穴を空けることで、より握り易い卓球ラケットになる。
【図面の簡単な説明】
【００１６】
【図１】本考案の１指穴挿入式卓球ラケットの正面図である。
【図２】本考案の１指穴挿入式卓球ラケットのラバーを貼った参考図である。
【図３】本考案の１指穴挿入式卓球ラケットのグリップを握った参考図である。
【図４】従来のシェークハンド式ラケットのグリップを握った参考図である。
【考案を実施するための形態】
【００１７】  卓球ラケットのグリップ（１）の斜め上部のブレード本体（２）に指通し穴（３）を空ける。この穴に人差し指または中指を引っ掛けて使用する。この場合グリップは親指、中指、薬指、小指で握る。
【実施例】
【００１８】［図１］１指穴挿入式卓球ラケットのグリップ（１）の斜め上部のブレード本体（２）に指通し穴（３）を空けた図。【００１９】［図２］Ａ指を通す穴にかかるようにラバーを貼った図面。
Ｂ穴をはずすようにラバーを貼った図面【００２０】［図３］１指穴挿入式卓球ラケットのグリップを握った参考図。
Ａフォア面。Ｂバック面。【００２１】［図４］従来のシェークハンド式卓球ラケットのグリップを握った参考図。
Ａフォア面。Ｂバック面。
【符号の説明】
【００２２】［図１］
１  クリップ
２  ブレード
３  指通し穴
【図１】
0003221873.tif 000003
【図２】
0003221873.tif 000004
【図３】
0003221873.tif 000005
【図４】
0003221873.tif 000006
(57)【要約】      （修正有）【課題】キャップ本体に緩めやすい形状の突起を設けたキャップを提供する。【解決手段】容器本体１注ぎ口に取付られたリング３と前記リングと結合され開封時に、回転することで前記リング３から切り離されるキャップ本体２を設け、前記キャップ本体の側面部突起５が設けられ、前記リングの分割部６の両側にリングを切り離す突起７とリングの押さえの突起８が設けられている。【選択図】図１
0003221872.tif 000002
【実用新案登録請求の範囲】
【請求項１】
キャップ本体に緩めやすい形状の突起を設けリングは指先で持ち易い形状の突起を設ける事を特徴とするペットボトル等のキャップ。
【考案の詳細な説明】
【技術分野】
【０００１】  この考案はキャップ本体に緩めやすい形状の突起を設けリングは指先で持ち易い形状の突起として外しやすい。
【背景技術】
【０００２】  従来のキャップを握力の小さい人はキャップを開けにくいため突起を設けることにより開け易くなる又リングに指先で持ち易い形状の突起を設ける事によりリングを切り離す事ができる。
【考案の概要】
【考案が解決しようとする課題】
【０００３】  このような従来のキャップでは開けにくく力が必要であった又リングは容器に残るため容器の分別に手間がかかった。
【課題を解決するための手段】
【０００４】  上記の課題はキャップに突起を設ける事により小さい力で楽にキャップを開ける事ができリングは指先で持ち易い形状の突起で簡単に切り離す事ができる。
さらにキャップ本体の突起は開けるときの抵抗大きく閉める時の抵抗は小さい形状とする事により再度開ける場合も楽になる。
【考案の効果】
【０００５】  キャップ本体が開け易く再度閉じて開ける場合も楽になる。【０００６】  リングを切り離す時は指先で簡単に切り取る事ができる。
【図面の簡単な説明】
【０００７】
【図１】本考案のペットボトル等のキャップ全体図
【図２】本考案のキャップ平面図
【図３】本考案のリンクの平面図と拡大図
【０００８】  本考案の図１キャップ本体２に図１の突起５を設ける事により楽に開けられるリングは図１の突起７を指先でリンクを切り離す事ができる。
【実施例】
【０００９】  以下図面に従って実施例を説明する本考案の図１キャップ本体２に図１の突起５を設ける事により開け易く再度閉めて開ける場合も楽であるそのために図１の突起部５は開くときの抵抗が大きく閉めるときの抵抗が小さい形状とする図１のリング３は指先で持ち易い形状の突起７でなおかつ切り離れる部分６はなるべく離れやすい形状としキャップ２を開けてもリングの分割部は離れないこととする。
図２はキャップ２の開閉を示している矢印９は開ける力の方向で矢印１０は閉める力の方向で突起５は９の力＞１０の力となる。
図３はリング３の平面図とリング分割部６の拡大図１３である。
【符号の説明】
【００１０】１  容器本体
２  キャップ本体
３  リング
４  キャップとリング接続部
５  キャップの突起
（緩めやすい形状）
６  リング分割する部
７  リングを切り離す突起
（指先で持ち易い形状）
８  リングのおさえの突起
９  キャップ開ける方向
１０  キャップ閉める方向
１１  リングを切り離す方向
１２  リングをおさえる方向
１３  リング分割部の拡大図
【図１】
0003221872.tif 000003
【図２】
0003221872.tif 000004
【図３】
0003221872.tif 000005
【手続補正書】
【提出日】平成31年4月1日(2019.4.1)
【手続補正１】
【補正対象書類名】実用新案登録請求の範囲
【補正対象項目名】全文
【補正方法】変更
【補正の内容】
【実用新案登録請求の範囲】
【請求項１】
容器本体（１）注ぎ口に取付られたリング（３）と前記リング（３）と結合され開封時に、回転することで前記リング（３）から切り離されるキャップ本体（２）を設ける前記キャップ本体（２）の側面部突起（５）が設けられ前記リング（３）の分割部（６）の両側にリングを切り離す突起（７）とリングを押さえる（８）が設けられていることを特徴とするペットボトルのキャップ
(57)【要約】      （修正有）【課題】注ぎ口周りを液体で汚さず衛生的な密閉ボトルキャップを提供する。【解決手段】密閉ボトルキャップであって、容器本体５に取付られるキャップ本体１と、その注ぎ口２を覆うためのキャップ蓋３とは分離されており、注ぎ口２に差し込まれる注ぎ口栓６とを有する。【選択図】図１
0003221871.tif 000002
【実用新案登録請求の範囲】
【請求項１】
密閉ボトルキャップの注ぎ口栓を蓋から取り除き別に分離型の分離注ぎ口栓を設ける事を特徴とする密閉ボトルキャップ。
【考案の詳細な説明】
【技術分野】
【０００１】  この考案は注ぎ口栓をキャップ蓋から取り除き分離注ぎ口栓を使用する。
【背景技術】
【０００２】  従来の密閉ボトルキャップでは蓋を開いたら固定注ぎ口栓により容器内の液体を吸い上げて注ぎ口廻りを液体で汚してしまう。
【考案の概要】
【考案が解決しようとする課題】
【０００３】  このような従来の密閉ボトルキャップではキャップ本体の注ぎ口の廻りを汚してしまう。
【課題を解決するための手段】
【０００４】  上記の課題は固定注ぎ口栓を蓋から取り除き分離注ぎ口栓を設ける事により蓋の開閉時に容器内の液体を吸い上げる事がなくなる事を特徴とする密閉ボトルキャップでキャップ本体を汚さなくなる。
さらに長期使用しない時又は移動運搬する時などは分離注ぎ口栓を使用すると外圧による液漏れ及び酸化しにくくなる。
【考案の効果】
【０００５】  卓上で使用する場合は容器が転倒しても液漏れしない。【０００６】  長期使用しない時又は移動運搬する時などは分離注ぎ口栓を使用する。
【図面の簡単な説明】
【０００７】
【図１】本考案の密閉ボトルキャップ展開図
【図２】従来の密閉ボトルキャップ展開図
【考案の実施するための形態】
【０００８】  本考案の密閉ボトルキャップ図１に示す分離注ぎ口栓６を使用する時は分離型なので取り外したままで使用する事により注ぎ口廻りを液体で汚さず衛生的である。
【実施例】
【０００９】  以下図面に従って実施例を説明する本考案の密閉ボトルキャップ図２キャップ蓋３より図２固定注ぎ口栓７を無くした図１キャップ蓋３にして図１分離注ぎ口栓６を別に設ける事により図１分離注ぎ口栓６を外したままで使用すれば注ぎ口廻りを汚さず衛生的であり図１分離注ぎ口栓６を使用すれば外圧又は空気等の影響を受けない。
【符号の説明】
【００１０】１  キャップ本体
２  注ぎ口
３  キャップ蓋
４  空気取り入口
５  容器本体
６  分離注ぎ口栓
（画鋲の形状）
７  固定注ぎ口栓
【図１】
0003221871.tif 000003
【図２】
0003221871.tif 000004
【手続補正書】
【提出日】平成31年4月1日(2019.4.1)
【手続補正１】
【補正対象書類名】実用新案登録請求の範囲
【補正対象項目名】全文
【補正方法】変更
【補正の内容】
【実用新案登録請求の範囲】
【請求項１】
密閉ボトルキャップであって、容器本体（５）に取付られるキャップ本体（１）と、その注ぎ口（２）を覆うためのキャップ蓋（３）とは分離されており、前記注ぎ口（２）に差し込まれる注ぎ口栓（６）とを有することを特徴とする密閉ボトルキャップ。
(57)【要約】      （修正有）【課題】既存の家屋に部分的に追加で設置・施工でき、すばやく避難できて、マンション共用費などで施工費用を削減できる防災シェルターを提供する。【解決手段】壁２の内側に引き分けの戸１がそれぞれ収納された直方体の鉄骨と鉄板でできたシェルターを、マンション共有部通路部分に設置する。戸と壁および天井３と床４には鉄骨の筋交いを入れ耐震強度を高める。強い地震でも安心して避難できるシェルターとなる。さらにシェルター内に簡易トイレや給水、電池、薬などを備えることで、地震がおさまるまでの長時間の滞在に役立つ。【選択図】図１
0003221876.tif 000002
【実用新案登録請求の範囲】
【請求項１】
マンションの共有部通路部分の大きさに設置でき、鉄骨および鉄板および鉄骨の筋交いでできており、戸は引き分けの戸で、通常時は壁の内側に収納されており、非常時に引き出して閉めることができ、さらに閉めた時に左右の戸の接合部が支柱にもなることで、耐震が最大限強化されているところを特徴とする防災シェルター。
【考案の詳細な説明】
【技術分野】
【０００１】
本考案は、マンションの共用部通路部分に設置する防災シェルターに関するものである。
【考案の概要】
【考案が解決しようとする課題】
【０００２】
地震に伴って起こる家屋や家具の倒壊による人身への被害が多く、地震発生後すぐに非難できる防災シェルターが必要であるが、マンション内での設置できるスペースが限られていたり、高額なシェルター費用や施工費用で経済的な負担があるが、マンション共有部通路を部分的に追加で設置・施工できる防災シェルターによって、住民がすばやく非難できて、さらにマンション共用費などで施工費用を削減できることで、前述の欠点を解決しようとするものである。
【課題を解決するための手段】
【０００３】
本考案は、マンション共有部通路部分に、壁に引き込み戸のある直方体の鉄骨と鉄板でできたシェルターを設置し、戸と壁および床と天井部分には鉄骨の筋交いを入れることにより耐震強度を高めているため、強い地震でも安心して避難できるシェルターとなり、問題点を解決している。さらにシェルター内に簡易トイレや給水、電池、薬などを備えることで、地震がおさまるまでの長時間の滞在も可能になる。
【考案の効果】
【０００４】
上述の様に、本考案の防災シェルターは鉄骨、鉄板でできており耐震が強化されていることから、強い地震でも被害を最大限軽減することが可能になり、またマンション共用部通路に部分的に設置できることで経済的負担を軽減させることに役立つ。
【０００５】
シェルター内に簡易トイレや給水、電池、薬などを備えることで、地震がおさまるまでの長時間の滞在も可能になる。
【図面の簡単な説明】
【０００６】
【図１】本考案の防災シェルターの斜視図である。（点線は通路部分大きさ）
【図２】戸の接合部の断面図である。
【符号の説明】
【０００７】
１    戸
２    壁
３    天井
４    床
【図１】
0003221876.tif 000003
【図２】
0003221876.tif 000004
【手続補正書】
【提出日】平成31年4月10日(2019.4.10)
【手続補正１】
【補正対象書類名】実用新案登録請求の範囲
【補正対象項目名】全文
【補正方法】変更
【補正の内容】
【実用新案登録請求の範囲】
【請求項１】
壁に引き込み戸のある直方体の鉄骨と鉄板でできた防災シェルターであって、戸と壁と床と天井部分に鉄骨の筋交いを入れたことを特徴とする防災シェルター。
(57)【要約】      （修正有）【課題】屋根の瓦やスレートなどにおいて、台風や強風や地震からの飛散を防止することが可能な飛散防止用ネットフェンス装置を提供する。【解決手段】ネットフェンス１を屋根の大きさに合わせて、瓦やスレートの上から被せ、軒先の辺りからワイヤー２を吊るし、地中に埋設したコンクリートの支柱３に固定されたリングにフックで引っ掛け、固定することで、台風や強風や地震の際に瓦やスレートが飛散する事を防止することに役立つ。【選択図】図１
0003221874.tif 000002
【実用新案登録請求の範囲】
【請求項１】
ネットフェンスを屋根の大きさに合わせて、瓦やスレートの上から被せ、軒先の辺りからワイヤーを吊るし、地中に埋設したコンクリートの支柱に固定されたリングにフックで引っ掛け、固定することで、台風や強風や地震の際に瓦やスレートが飛散することを特徴とする飛散防止用ネットフェンス装置。
【考案の詳細な説明】
【技術分野】
【０００１】
本考案は、屋根の瓦やスレートなどの飛散防止用ネットフェンス装置に関するものである。
【考案の概要】
【考案が解決しようとする課題】
【０００２】
屋根の瓦やスレートなどは、台風や強風や地震といった自然災害から飛散することが多く、修理や取替といった物理的被害による費用や怪我や傷害といった人的被害による損害賠償といった経済的負担も大きくなる。従って、ネットフェンスを屋根に被せ、軒先からワイヤーで地中に埋設したコンクリートの支柱にフックで引っ掛けて、瓦やスレートを覆うことにより、台風や強風や地震からの飛散を防止することが可能になり、前述の欠点を解決しようとするものである。
【課題を解決するための手段】
【０００３】
本考案は、ネットフェンスを屋根の大きさに合わせて、瓦やスレートの上から被せ、軒先の辺りからワイヤーを吊るし、地中に埋設したコンクリートの支柱に固定されたリングにフックで引っ掛け、固定することで、台風や強風や地震の際に瓦やスレートが飛散する事を防止することができ、問題点を解決している。
【０００４】
上述の様に、本考案の飛散防止用ネットフェンス装置は台風や強風や地震から瓦やスレートの飛散を防止することが可能になり、修理や取替の被害だけでなく、飛散による事故を防ぐことに役立つ。
【０００５】
台風や強風や地震の被害にあった後でも、再発防止や２次被害への防止への安全性も高まる。
【図面の簡単な説明】
【０００６】
【図１】本考案の飛散防止用ネットフェンス装置を屋根にとりつけた際の斜視図である。
【図２】本考案の飛散防止用ネットフェンス装置のワイヤーを引っ掛ける部分の側面図である。
【符号の説明】
【０００７】
１    ネットフェンス
２    ワイヤー
３    コンクリート支柱
４    リング
５    フック
【図１】
0003221874.tif 000003
【図２】
0003221874.tif 000004
【手続補正書】
【提出日】平成31年4月10日(2019.4.10)
【手続補正１】
【補正対象書類名】実用新案登録請求の範囲
【補正対象項目名】全文
【補正方法】変更
【補正の内容】
【実用新案登録請求の範囲】
【請求項１】
屋根に覆ったネットフェンスにリングを固定し、もう一方で、地中に埋設したコンクリートの支柱にリングを固定し、それぞれのリングにフックでワイヤーを引っ掛けることを特徴とする飛散防止用ネットフェンス装置。
(57)【要約】      （修正有）【課題】パンチング用具の提供。【解決手段】手で保持する支柱２と、打撃をするボード３を備え、支柱２は、ボード３に接続される上部支柱２１と、手で保持する下部支柱２３と、バネ２２からなり、上部支柱２１は、下部支柱２３とバネ２２で連結されたパンチング用具であり、ボード３は、ボード本体３１と、ボード本体３１に貼られる弾力性の部材である打撃部３２からなる。【選択図】図１
0003221817.tif 000002
【実用新案登録請求の範囲】
【請求項１】
手で保持する支柱２と、打撃をするボード３を備え、
支柱２は、ボード３に接続される上部支柱２１と、手で保持する下部支柱２３と、バネ２２からなり、上部支柱２１は、下部支柱２３とバネ２２で連結されたパンチング用具。
【請求項２】
ボード３は、ボード本体３１と、ボード本体３１に貼られる弾力性の部材である打撃部３２からなることを特徴とした請求項１記載のパンチング用具。
【考案の詳細な説明】
【技術分野】
【０００１】
本考案は片手で用具を持って、片手でパンチや空手チョツプのトレーニングに関するもの  
である。
【背景技術】
【０００２】
従来のパンチング用具は、トレーニングする時に用具は床に置いて、パンチのトレーニングをしたりしてストレスの発散をしていた。
【考案の概要】
【考案が解決しようとする課題】
【０００３】
その為に次の様な問題点もあった。
（イ）  用具が大きくて場所も取り、持ち運びに不便であつた。
（ロ）  一寸パンチのトレーニングやストレス発散したいと思っても、簡単に使用する事が出来名なかった。
本考案は以上の問題点を解決する為になされたものである。
【課題を解決するための手段】
【０００４】
ボードに取り付けた支柱の中ほどにバネを取り付けた事を特徴としたパンチング用具。
【０００５】
前記のボードに弾力素材を取り付けたことを特徴としたパンチング用具
【考案の効果】
【０００６】
軽くてコンパクトで、持ち運びにも便利で外観も良く、誰でも簡単にパンチングして、トレーニング、ストレス発散が出来る様にしたパンチング用具である。 
【図面の簡単な説明】
【０００７】
【図１】本発明のパンチング用具の構成
【考案を実施するための形態】
【０００８】
パンチング用具１は、手で保持する支柱２と、打撃をするボード３を備える。
支柱２は、ボード３に接続される上部支柱２１と、手で保持する下部支柱２３と、バネ２２からなり、
上部支柱２１は、下部支柱２３とバネ２２で連結されている。
ボード３は、ボード本体３１と、ボード本体３１に貼られる弾力性の部材である打撃部３２からなる。
【符号の説明】
【０００９】
１  パンチング用具
２  支柱
２１    上部支柱
２２    バネ
２３    下部支柱
３  ボード
３１    ボード本体
３２    打撃部
【図１】
0003221817.tif 000003
(57)【要約】      （修正有）【課題】一つの結束補助具で巻紐の紐を切らずにセットし、ダンボール箱等大きな物から雑誌、食器皿等小さな物まで一まとめにした物を、動かさないで結束可能な折りたたみ式結束補助具を提供する。【解決手段】底板１の８方形へ設けた折りたたみ可動板２に、紐押え棒４を立てて紐５を切らずに８の字になる様にセットし、その上にダンボール箱等結束対象物を置き、角の紐５をたぐり上げて中央で結んで十字縛りになり、また可動板２を折りたたみ雑誌、食器皿等小さな物に合わせた位置に紐押え棒４を移して使用する。【選択図】図４
0003221881.tif 000002
【実用新案登録請求の範囲】
【請求項１】
紐による十字縛りの結束補助具において、底板の８方向に連接された折りたたみ可能にした可動板と、前記可動板に複数空けられた棒差し込み穴と、着脱可能な複数の紐押え棒とを有し、前記紐押え棒を差し込む位置を変更可能であり、前記紐押え棒は、紐を８の字にセットする際に対象物を囲むように、かつ結束用紐を交差させるために制止可能に立てられることで、当該対象物を結束するのを補助することを特徴とし、また、小型軽量の一つの結束補助具として多様の結束可能にした折りたたみ式結束補助具。
【考案の詳細な説明】
【技術分野】
【０００１】  本考案は、一つの結束補助具でダンボール箱等大きな物や雑誌、食器皿等小さな物まで結束可能な折りたたみ式結束補助具に関するものである。
【背景技術】
【０００２】  従来、特許文献１によると新聞や雑誌の大きさを結束する物であるが、ダンボール箱等大きな物や雑誌、食器皿等小さな物まで、一つの物で結束出来る物ではない。
【先行技術文献】
【特許文献】
【０００３】
【特許文献１】実用新案登録第３２０２２１６号公報
【考案の概要】
【考案が解決しようとする課題】
【０００４】  前項の特許文献１のものを拡大化すればダンボール箱等大きな物を束ねられる補助具として考えられるが、大きな物と成るため取扱いが困難となる。
【課題を解決するための手段】
【０００５】  上記課題を解決するために本考案は、一つの結束補助具で巻紐の紐を切らずにセットし、ダンボール箱等大きな物から雑誌、食器皿等小さな物まで一まとめにした物を、動かさないで結束可能な折りたたみ式結束補助具を提供する。
具体的には、８方向に切り出した底板に、それぞれ可動板を蝶番で取付けて折りたためる様に連結し、前記可動板に、紐をセットするための紐押え棒が着脱可能となる棒差し込み穴を、縛る物の大きさに対応する位置に複数空ける。結束は、縛る物の大きさに合わせた所の前記棒差し込み穴へ前記紐押え棒を差し込み、その周りを８の字になる様に紐をセットして上に束ねる物を置き、角の紐をたぐり持ち上げ中央で結べば十字縛りになる。
【考案の効果】
【０００６】  ダンボール箱等大きな物の結束には、大きな板に棒差し込み穴をあけ、紐押え棒を立てて紐をセットすれば同様の結束が得られるが、大きくて重くなり取扱いが困難であるが、本考案は、底板を小さくし小さな可動板を連結し折りたたみ式にする事で、可動板を広げてはダンボール箱等大きな物を束ね、可動板を折りたたんでは雑誌、食器皿等小さな物を結束可能にする小型軽量化の一つの結束補助具となる。また、紐押え棒の使用で、複数空けられた棒差し込み穴を使い、当該対象物に合わせて紐を８の字になる様にセットして物を置き、紐の角をたぐり持ち上げて中央で結べば十字縛りとなる。二重縛りをするには、紐を切らずに８の字を二回りセットして、同様の結束で可能である。紐での十字縛りの困難が、本考案よれば、女性や高齢者でも小型軽量である一つの結束補助具で、ダンボール箱等大きな物から雑誌、食器皿等小さな物まで対応可能となり多様の使用効果が得られる。
【図面の簡単な説明】
【０００７】
【図１】本考案による、ダンボール箱等大きな物に使用の時、可動板を広げた折りたたみ式結束補助具を示す平面図
【図２】本考案による、雑誌、食器皿等小さな物に使用の時、可動板をたたんだ折りたたみ式結束補助具を示す平面図
【図３】本考案による、紐押え棒を示す斜視図
【図４】本考案による、折りたたみ式結束補助具を広げて、綴じ紐をセットした平面図
【図５】本考案による、折りたたみ式結束補助具を折りたたんで、綴じ紐をセットした平面図
【図６】本考案による、折りたたみ式結束補助具にダンボール箱等大きな物を置いた平面図
【図７】本考案による、折りたたみ式結束補助具に食器皿等小さな物を置いた平面図
【図８】綴じ紐の十字縛り方を示す斜視図
【図９】十字縛りの綴じ紐セットと結束を示す平面図
【考案を実施するための形態】
【０００８】  本考案を実施するための形態を、以下図に基づき説明する。
【実施例１】
【０００９】  図１に示す通り折りたたみ式結束補助具は、８方向に切り出した底板１のそれぞれに可動板２を蝶番で取付け、図２に示す通り可動板２を折りたたんで小さくなり、可動板２には棒差し込み穴３が複数空けられて、図３に示す着脱可能な紐押え棒４を差し込められる。紐押え棒４は、巻紐８から引き出した紐５をセットする際に紐５の外れ防止に上部を太くする。底板１の中心に持ち運び用の取手穴９を空けるが、その取手穴９を使用し壁に掛けた際のデザインも考慮し、デザインの重点となる底板の形は、８方向に可動板２を取り付ける条件を満たすと、星形や円形、四角形等の形や、切り出し方次第では多種の形をした底板が製造可能である。【００１０】  図６に示すダンボール箱等大きな物６の結束は、図４に示す通り可動板２を広げ紐５をセットし、図７に示す雑誌、食器皿等小さな物７の結束には、図５に示す通り可動板２をたたんで紐５をセットし当該対象物を結束する補助具であり、図８（ａ）、（ｂ）、（ｃ）に示す通り物を動かさないで角の紐５をたぐり上げて結束するが、図９（ａ）、（ｂ）、（ｃ）に示す通り紐５のセット仕方により二重縛り、横二重縛り、底紐ずれ防止縛りとなる。この折りたたみ式結束補助具は、金属、合成樹脂系、木製で製造可能である。
【符号の説明】
【００１１】１    底板
２    可動板
３    棒差し込み穴
４    紐押え棒
５    紐
６    大きな物
７    小さな物
８    巻紐
９    取手穴
【図１】
0003221881.tif 000003
【図２】
0003221881.tif 000004
【図３】
0003221881.tif 000005
【図４】
0003221881.tif 000006
【図５】
0003221881.tif 000007
【図６】
0003221881.tif 000008
【図７】
0003221881.tif 000009
【図８】
0003221881.tif 000010
【図９】
0003221881.tif 000011
(57)【要約】      （修正有）【課題】固形糊塗布具としての機能を保持しつつ、消しゴムを備えることによって、利便性を高めた消しゴム付固形糊塗布具を提供する。【解決手段】消しゴム付固形糊塗布具は、棒状の固形糊２と、固形糊２が収容される容器本体１０の上方開放部に着脱自在に被嵌されるキャップ部１１と、容器本体１０の底部に回動自在に連結され、回動により固形糊２を容器本体の上方開放部から突出させるための回動底部２０とを備え、回動底部２０に設けた嵌合凹部に消しゴム３を嵌着する。【選択図】図３
0003221842.tif 000002
【実用新案登録請求の範囲】
【請求項１】
棒状の固形糊と、固形糊が収容される容器本体と、容器本体の上方開放部に着脱自在に被嵌されるキャップ部と、容器本体の底部に回動自在に連結され、回動により固形糊を容器本体の上方開放部から突出させるための回動底部を備え、回動底部に嵌合凹部を設けて消しゴムを嵌着した消しゴム付固形糊塗布具。
【考案の詳細な説明】
【技術分野】
【０００１】
本考案は、固形糊塗布具に消しゴムを嵌着した、消しゴム付固形糊塗布具に関する。
【背景技術】
【０００２】
従来、消しゴムと固形糊塗布具は別々となっていた。
【先行技術文献】
【特許文献】
【０００３】
【特許文献１】実用新案登録第３１８０５８６号公報
【特許文献２】公開実用昭和５７−１７４０９６公報
【考案の概要】
【考案が解決しようとする課題】
【０００４】
従来よりスティック状の消しゴムや固形糊があるが、用途が違うため別々に準備をして用いなければならなかった。
【０００５】
スティック状の消しゴムや固形糊を収容する手段のひとつにペンケースに入れることが考えられるが、ペンケースには筆記具や定規といったものも収容するので、ペンケースのサイズによっては収容物があふれるという課題が発生した。
【課題を解決するための手段】
【０００６】
消しゴムや固形糊塗布具は柱形状のものが多く、類似する形状である。また糊を書類等に塗布する動作と、誤った文字等を消しゴムで消去する動作も似ているため、消しゴムと固形糊塗布具を組み合わせることにより、使いやすさを損なわず携帯性に優れ、省スペース化を図ることができる。
【考案の効果】
【０００７】
使いやすさを損なわず携帯性に優れ、省スペース化を図ることができ、固形糊と消しゴムが本体容器を介して一体型となっているので個々の紛失を防ぐことができる。
【図面の簡単な説明】
【０００８】
【図１】本考案の実施の形態による消しゴム付固形糊塗布具の斜視図である。
【図２】本考案の実施の形態による消しゴム付固形糊塗布具のキャップ部を外した状態の斜視図である。
【図３】本考案の実施の形態による消しゴム付固形糊塗布具の使用状態を示す斜視図である。
【図４】本考案の実施の形態による消しゴム付固形糊塗布具を消しゴム側から見た斜視図である。
【図５】本考案の実施の形態による消しゴム付固形糊塗布具の嵌合凹部に消しゴムを嵌着する前の状態の斜視図である。
【考案を実施するための形態】
【０００９】
以下に、本考案の実施の形態について説明する。図１に示すように、本考案の消しゴム付固形糊塗布具（１）は、三角柱状固形糊（２）を有し、全体に縦長の正三角柱状に構成されており、固形糊（２）を収容する容器本体（１０）と、容器本体（１０）の上方開放部を着脱自在に閉塞するキャップ部（１１）と、容器本体（１０）の底部に回動自在に連結される回動底部（２０）とからなり、これらは、すべて同じ大きさの三角形の断面外形を有する正三角筒状に形成される。
【００１０】
固形糊を使用するには、キャップ部（１１）を容器本体（１０）から強制的に取り外す。この状態にて、容器本体（１０）の開放端部から固形糊（２）の三角形の頂面（２ａ）が露出する。
【００１１】
回動底部（２０）を回動させると固形糊（２）が上方へ移動していき、図３に示すように容器本体（１０）の上方開放部（１０ａ）から固形糊（２）を所定長さ突出させることができる。
【００１２】
回動底部（２０）には嵌合凹部（２０ａ）が設けられ、嵌合凹部（２０ａ）に嵌合凹部（２０ａ）の断面内形と同形状の消しゴム（３）が嵌着される。
【００１３】
なお、固形糊（２）、容器本体（１０）、キャップ部（１１）、回動底部（２０）、消しゴム（３）はそれぞれ、本実施例に示した三角柱形状のほか、例えば四角柱形状や多角柱形状、円柱形状であっても、本実施例と同様の作用効果がある。
【符号の説明】
【００１４】
（１）  ・・・・・消しゴム付固形糊塗布具
（１０）・・・・・容器本体
（１１）・・・・・キャップ部
（２）  ・・・・・固形糊
（２０）・・・・・回動底部
（３）  ・・・・・消しゴム
【図１】
0003221842.tif 000003
【図２】
0003221842.tif 000004
【図３】
0003221842.tif 000005
【図４】
0003221842.tif 000006
【図５】
0003221842.tif 000007
(57)【要約】      （修正有）【課題】調理器具を使わず、場所選ばず、こんにゃくラーメンを即席食用できる即席カップラーメンを提供する。【解決手段】こんにゃく食材により製造されたこんにゃくラーメン５のこんにゃくの質量成分が固体状こんにゃくラーメンの質量の１０％以上であり、こんにゃくラーメン５をカップ４に詰めたことを特徴とする。【選択図】図１
0003221859.tif 000002
【実用新案登録請求の範囲】
【請求項１】
質量成分が全体の１０％以上にありこんにゃく食材により製造されたあらゆる味の即席カップラーメン。
【考案の詳細な説明】
【技術分野】
【０００１】  本考案は健康食品製造技術に属する。
【背景技術】
【０００２】  こんにゃくは代表的なダイエット食材である、カロリ−が殆ど無く、繊維質に富む食品であるため、ダイエット食品として普及しており、この利用方法の一つに、こんにゃくをラーメン状に形成し、主食として食用される。従来、ラーメン状のこんにゃくは袋に詰めることは一般的である。
【先行技術文献】
【特許文献】
【０００３】
【特許文献１】特開２０１８−０７４９８６号公報
【０００４】
【特許文献２】特開２０１７−２２１１７８号公報
【０００５】
【特許文献３】特開２０１７−１３１２４３号公報
【０００６】
【特許文献４】特開２０１１−７２３０４号公報
【０００７】
【特許文献５】特開２００９−１３１２２４号公報
【考案の概要】
【考案が解決しようとする課題】
【０００８】  しかし、袋詰めのこんにゃくラーメンを食用するとき、こんにゃく特有な臭いを除去するために、調理器具を使って、水で清浄することが必要である。このため、調理手間がかかり、調理器具と調理場がないと食用することはできない。【０００９】  そこで、本考案の課題は質量成分が全体の１０％以上にありこんにゃく食材により製造されたこんにゃくラーメンを即席カップラーメンにし、こんにゃくラーメンの臭いを簡単に除去できることにある。
【考案実施するを解決するための手段】
【００１０】  本考案はこんにゃくラーメンをカップラーメンにし、カップの蓋に水切り穴を設け、こんにゃくラーメンをカップだけで清浄することによりこんにゃくラーメンの問題点を解決できる。
【考案の効果】
【００１１】  上述の様に、本考案はこんにゃくラーメンをカップラーメンにすることにより、調理場なくでも、調理器具なくでもカップと水切りの蓋だけでこんにゃくラーメンを洗浄でき、こんにゃくの臭いを簡単に除去できる、こんにゃくラーメンを容易に食用できる。
【考案が解決しようとする形態】
【００１２】  こんにゃくラーメンをカップ詰め、又は袋に詰めてからカップ詰め、カップの蓋に水切りの穴を設け、カップでこんにゃくラーメンを洗浄、蓋で水切る。
【実施例１】
【００１３】  耐水性紙質カップのこんにゃくカップラーメン：まず、こんにゃくラーメンを袋詰め、そして袋詰めしたこんにゃくラーメンと袋詰め調味料をカップに詰め、水切り穴の蓋をカップに封じる。これで紙質カップのこんにゃくカップラーメンが出来上がる。
【実施例２】
【００１４】  プラスチックカップのこんにゃくカップラーメン：まず、こんにゃくラーメンをプラスチックのカップに詰め、そして液体漏れ防止の防水性蓋をカップに封じ、別部品の水切り蓋と調味料、こんにゃくラーメンのカップと同封することによりプラスチックカップのこんにゃくカップラーメンが出来上がる。
【図面の簡単な説明】
【００１５】
【図１】耐水性紙質カップのこんにゃくカップラーメンの構成
【００１６】
【図２】プラスチックカップのこんにゃくカップラーメンの構成
【符号の説明】
【００１７】    １    紙質カップの蓋の外す取手
２    紙質カップの蓋の水切り穴
３    紙質カップの蓋
４    紙質カップ本体
５    袋詰めこんにゃくラーメン
６    袋詰め調味料
７    プラスチックカップの防水性蓋の外す取手
８    プラスチックカップの水切り蓋の穴
９    こんにゃくラーメンの水切り蓋
１０  プラスチックカップ本体
１１  プラスチックカップの防水性蓋
１２  こんにゃくラーメンの保存水
１３  こんにゃくラーメン
１４  調味料
【図１】
0003221859.tif 000003
【図２】
0003221859.tif 000004
【手続補正書】
【提出日】平成31年3月22日(2019.3.22)
【手続補正１】
【補正対象書類名】実用新案登録請求の範囲
【補正対象項目名】全文
【補正方法】変更
【補正の内容】
【実用新案登録請求の範囲】
【請求項１】
こんにゃく食材により製造されたこんにゃくラーメンがこんにゃくの質量成分が固体状こんにゃくラーメンの質量の１０％以上であり、前記こんにゃくラーメンをカップに詰めたことを特徴とする即席カップラーメン。
(57)【要約】      （修正有）【課題】本考案は、黒以外のカラーや、色彩、絵柄を用いたブラックマスク部を提供する。【解決手段】スクリーンの中央にスクリーン面と、周縁部を備えたスクリーンであって、映像を映写する白色面の該スクリーン面の周縁部に、黒色以外の紺色、又は藍色、又は赤色、又は風景写真、又は顔写真、又は文言、又は木目、又はレンガ柄、又は大理石柄を印刷した。【選択図】図２
0003221860.tif 000002
【実用新案登録請求の範囲】
【請求項１】
映像を映写するスクリーン面の周縁部に、黒色以外の紺色、又は藍色、又は赤色、又は風景写真、又は顔写真、又は文言、又は木目、又はレンガ柄、又は大理石柄、などを印刷した事を特徴とする色彩ブラックマスクのスクリーン。
【考案の詳細な説明】
【技術分野】
【０００１】  本考案は、プロジェクタから投射された映像を映写し、ブラックマスク部を備えたスクリーンに関する。
【背景技術】
【０００２】  プロジェクタから投射された映像を映写するスクリーンは、反射率の高い白色面と、白色面の周縁部に、黒色部を備えている。黒色部はブラックマスクと呼ばれている。又、ブラックマスクを有しないスクリーンもある。【０００３】  スクリーンに投影した映像を見る時、映像の周囲を黒ベタで押えるブラックマスクが有ることで、コントラスト感が上がり、見た目にメルハリがある映像と感じる事が出来る。【０００４】  他方、ブラックマスクの無いスクリーンで映像を見る場合もあり、それでもメリハリが少ないと、多くの不平が上がるまでではなかった。【０００５】  また、近年大型のフルカラープリンターが販売され、大量生産ではなくとも、印刷費用も抑えられる状況となっている。【０００６】  また、学校や公共施設に対し、スクリーンを寄贈するような場合、ブラックマスク部分に会社のロゴ、○○寄贈品  などの文字を入れたい。と言う要求があった。【０００７】  また、個人の嗜好も画一的ではなくなり、色の好みなどを発言する事が多くなってきた。
【考案の開示】
【考案が解決しようとする課題】
【０００８】  本考案は、黒以外のカラーや、色彩、絵柄を用いたブラックマスク部を提供する事を目的とする。
【課題を解決するための手段】
【０００９】  本考案の色彩ブラックマスクのスクリーンは、映像を映写するスクリーン面の周縁部に、黒色以外の紺色、又は藍色、又は赤色、又は風景写真、又は顔写真、又は文言、又は木目、又はレンガ柄、又は大理石柄、などを印刷した事を特徴とする。
【考案の効果】
【００１０】  本考案の色彩ブラックマスクスのクリーンでは、ユーザーの嗜好に合せたスクリーンを提供する。
【考案を実施するための最良の形態】
【００１１】  以下、本考案に適応した例を、図１乃至図２に基づいて説明する。
【実施例１】
【００１２】  図１は、スクリーンの斜視図である。１は上部筐体であって、２は下部重り棒、３は映写面、４は映写面縁取り部を示している。映写面縁取り部４は、従来ブラックに塗られ、ブラックマスクと呼ばれている。また、スクリーンによっては、ブラックマスクを持たない物もある。【００１３】  映写面縁取り部４は、従来ブラックに塗られ、ブラックマスクと呼ばれている。また、スクリーンによっては、ブラックマスクを持たない物もある。【００１４】  図２は、映写面縁取り部にレンガ模様を施したスクリーンの斜視図である。５はレンガ模様の映写面縁取り部を示している。レンガ模様は濃淡のある茶系などの彩色で印刷されている。【００１５】  レンガ模様の映写面縁取り部５は、例としてレンガ模様を示しているが、模様はレンガのみを指定しているのではなく、木目や大理石柄、紺色や青色など淡色を使用する場合もある。さらに風景写真や人物写真、アルファベットや日本語の文言、マーク、ブランドなどを印刷する場合もある。【００１６】  印刷方法はシルクスクリーン印刷や、インクジェット、レーザープリンターなどで行う事ができる。
【産業上の利用可能性】
【００１７】  本考案の色彩ブラックマスクのスクリーンによって、ユーザーは、自身の嗜好にあったスクリーンを持つ事ができる。
【図面の簡単な説明】
【００１８】
【図１】スクリーンの斜視図。
【図２】映写面縁取り部にレンガ模様を施したスクリーンの斜視図。
【符号の説明】
【００１９】１    上部筐体
２    下部重り棒
３    映写面
４    映写面縁取り部
５    レンガ模様の映写面縁取り部
【図１】
0003221860.tif 000003
【図２】
0003221860.tif 000004
【手続補正書】
【提出日】平成31年3月29日(2019.3.29)
【手続補正１】
【補正対象書類名】実用新案登録請求の範囲
【補正対象項目名】全文
【補正方法】変更
【補正の内容】
【実用新案登録請求の範囲】
【請求項１】
スクリーンの中央にスクリーン面と、周縁部を備えたスクリーンであって、映像を映写する白色面の該スクリーン面の周縁部に、黒色以外の紺色、又は藍色、又は赤色、又は風景写真、又は顔写真、又は文言、又は木目、又はレンガ柄、又は大理石柄を印刷した事を特徴とする色彩ブラックマスクのスクリーン。